【手続補正書】
【提出日】平成22年9月29日(2010.9.29)
【手続補正１】
【補正対象書類名】特許請求の範囲
【補正対象項目名】全文
【補正方法】変更
【補正の内容】
【特許請求の範囲】
【請求項１】
データ通信システムにおいてリソースを割り当てるための方法において、
アクセス端末とデータの通信のためのデータネットワークとの間の新しい接続を開くための要求を検出することと、
検出された要求に応答して、前記アクセス端末と前記データネットワークとの間のアクセスネットワークが過負荷条件を有しているかどうかを決定することと、
前記アクセスネットワークが前記過負荷条件を有しているなら、前記アクセス端末と前記データネットワークとの間の前記アクセスネットワークにおいて、任意の先在のアイドルオープン接続があるかどうかを決定することであって、各アイドルオープン接続は割り当てられた通信リソースを有することと、
ユーザーに対するサービス程度に基づいて前記先在アイドルオープン接続の１つを選択することと、
前記選択された先在アイドルオープン接続をリリースすることと、
前記新しい接続に、前記リリースされた、選択された先在アイドルオープン接続に対応する通信リソースを割り当てることと、
を備えた方法。
【請求項２】
前記ユーザーに対するサービス程度に基づいて前記先在アイドルオープン接続の１つを選択することは、低いサービス程度を有する候補を優先して解放するために選択することである、請求項１に記載の方法。
【請求項３】
データの通信のための通信システムにおいて、データ通信システムにおいてリソースを割り当てるための方法において、
データ通信用の接続を開くためのユーザーの要求を検出することと、
検出された要求に応答して、前記アクセス端末と前記データネットワークとの間のアクセスネットワークが過負荷条件を有しているかどうかを決定することと、
前記アクセスネットワークが前記過負荷条件を有しているなら、前記ユーザーに割り当てられたサービス程度に基づいて２つ以上のオープン接続を選択することと、
前記選択されたオープン接続の２つ以上がアイドルオープン状態であるかどうかを決定することと、
前記アイドルオープン状態にある前記２つ以上の選択されたオープン接続から、最も長いアイドルオープン状態接続時間を有するアイドルオープン接続を選択することと、
前記選択されたアイドルオープン接続をリリースすることと、
前記ユーザーに、前記リリースされた、選択されたアイドルオープン接続に対応する通信リソースを割り当てることと、
を備えた方法。
【請求項４】
前記ユーザーに対するサービス程度に基づいて前記先在アイドルオープン接続の１つを選択することは、低いサービス程度を有する候補を優先して解放するために選択することである、請求項３に記載の方法。
【請求項５】
データの通信のための通信システムにおいて、データ通信システムにおいてリソースを割り当てるための方法において、
データ通信用の接続を開くためのユーザーの要求を検出することと、
検出された要求に応答して、前記アクセス端末と前記データネットワークとの間のアクセスネットワークが過負荷条件を有しているかどうかを決定することと、
前記アクセスネットワークが前記過負荷条件を有しているなら、前記ユーザーに割り当てられたサービス程度に基づいて２つ以上のオープン接続を選択することと、
前記選択されたオープン接続の２つ以上がアイドルオープン状態にあるかどうかを決定することと、
前記アイドルオープン状態にある前記２つ以上の選択されたオープン接続から、所定の期間に所定のデータ量を転送するために使用されるアイドルオープン接続を選択することと、
前記選択されたアイドルオープン接続をリリースすることと、
前記ユーザーに、前記リリースされた、選択されたアイドルオープン接続に対応する通信リソースを割り当てることと、
を備えた方法。
【請求項６】
前記ユーザーに割り当てられたサービス程度に基づいて前記２つ以上のオープン接続を選択することは、低いサービス程度を有する候補を優先して解放するために選択することである、請求項５に記載の方法。
【請求項７】
データ通信システムにおいてリソースを割り当てるための方法において、
アクセス端末とデータの通信のためのデータネットワークとの間の新しい接続を開くための要求を検出することと、
検出された要求に応答して、前記アクセス端末と前記データネットワークとの間のアクセスネットワークが過負荷条件を有しているかどうかを決定することと、
前記アクセスネットワークが前記過負荷条件を有しているなら、前記アクセス端末と前記データネットワークとの間の前記アクセスネットワークにおいて、任意の先在のアイドルオープン接続があるかどうかを決定することであって、各アイドルオープン接続は割り当てられた通信リソースを有することと、
（ａ）オープン接続時間および（ｂ）先在のアイドルオープン接続の以前のデータトラヒックアクティビティの少なくとも１つに基づいて前記先在アイドルオープン接続の１つを選択することと、
前記選択された先在アイドルオープン接続をリリースすることと、
前記リリースされた、選択された先在アイドルオープン接続に対応する通信リソースを前記新しい接続に割り当てることと、
を備える、
ここにおいて、前記アクセスネットワークは、前記アクセス端末と無線で通信するように構成された符号分割多重アクセス（ＣＤＭＡ）ネットワークである、方法。
【請求項８】
データ通信システムにおいてリソースを割り当てるための装置において、
アクセス端末とデータの通信のためのデータネットワークとの間の新しい接続を開くための要求を検出するための手段と、
検出された要求に応答して、前記アクセス端末と前記データネットワークとの間のアクセスネットワークが過負荷条件を有しているかどうかを決定するための手段と、
前記アクセスネットワークが前記過負荷条件を有しているなら、前記アクセス端末と前記データネットワークとの間の前記アクセスネットワークにおいて、任意の先在のアイドルオープン接続があるかどうかを決定するための手段であって、各アイドルオープン接続は割り当てられた通信リソースを有する、
ユーザーに対するサービス程度に基づいて前記先在アイドルオープン接続の１つを選択するための手段と、
前記選択された先在アイドルオープン接続をリリースするための手段と、
前記新しい接続に、前記リリースされた、選択された先在アイドルオープン接続に対応する通信リソースを割り当てるための手段と、
を備えた装置。
【請求項９】
前記ユーザーに対するサービス程度に基づいて前記先在アイドルオープン接続の１つを選択するための手段は、低いサービス程度を有する候補を優先して解放するために選択することを含む、請求項１に記載の装置。
【請求項１０】
データの通信のための通信システムにおいて、データ通信システムにおいてリソースを割り当てるための装置において、
データ通信用の接続を開くためのユーザーの要求を検出するための手段と、
検出された要求に応答して、前記アクセス端末と前記データネットワークとの間のアクセスネットワークが過負荷条件を有しているかどうかを決定するための手段と、
前記アクセスネットワークが前記過負荷条件を有しているなら、前記ユーザーに割り当てられたサービス程度に基づいて２つ以上のオープン接続を選択するための手段と、
前記選択されたオープン接続の２つ以上がアイドルオープン状態であるかどうかを決定するための手段と、
前記アイドルオープン状態にある前記２つ以上の選択されたオープン接続から、最も長いアイドルオープン状態接続時間を有するアイドルオープン接続を選択するための手段と、
前記選択されたアイドルオープン接続をリリースするための手段と、
前記ユーザーに、前記リリースされた、選択されたアイドルオープン接続に対応する通信リソースを割り当てるための手段と、
を備えた装置。
【請求項１１】
前記ユーザーに対するサービス程度に基づいて前記先在アイドルオープン接続の１つを選択するための手段は、低いサービス程度を有する候補を優先して解放するために選択することを含む、請求項１０に記載の方法。
【請求項１２】
データの通信のための通信システムにおいて、データ通信システムにおいてリソースを割り当てるための装置において、
データ通信用の接続を開くためのユーザーの要求を検出するための手段と、
検出された要求に応答して、前記アクセス端末と前記データネットワークとの間のアクセスネットワークが過負荷条件を有しているかどうかを決定するための手段と、
前記アクセスネットワークが前記過負荷条件を有しているなら、前記ユーザーに割り当てられたサービス程度に基づいて２つ以上のオープン接続を選択するための手段と、
前記選択されたオープン接続の２つ以上がアイドルオープン状態にあるかどうかを決定するための手段と、
前記アイドルオープン状態にある前記２つ以上の選択されたオープン接続から、所定の期間に所定のデータ量を転送するために使用されるアイドルオープン接続を選択するための手段と、
前記選択されたアイドルオープン接続をリリースするための手段と、
前記ユーザーに、前記リリースされた、選択されたアイドルオープン接続に対応する通信リソースを割り当てるための手段と、
を備えた装置。
【請求項１３】
前記ユーザーに割り当てられたサービス程度に基づいて前記２つ以上のオープン接続を選択するための手段は、低いサービス程度を有する候補を優先して解放するために選択することを含む、請求項１２に記載の装置。
【請求項１４】
データ通信システムにおいてリソースを割り当てるための装置において、
アクセス端末とデータの通信のためのデータネットワークとの間の新しい接続を開くための要求を検出するための手段と、
検出された要求に応答して、前記アクセス端末と前記データネットワークとの間のアクセスネットワークが過負荷条件を有しているかどうかを決定するための手段と、
前記アクセスネットワークが前記過負荷条件を有しているなら、前記アクセス端末と前記データネットワークとの間の前記アクセスネットワークにおいて、任意の先在のアイドルオープン接続があるかどうかを決定するための手段と、なお、各アイドルオープン接続は割り当てられた通信リソースを有する、
（ａ）オープン接続時間および（ｂ）先在のアイドルオープン接続の以前のデータトラヒックアクティビティの少なくとも１つに基づいて前記先在アイドルオープン接続の１つを選択するための手段と、
前記選択された先在アイドルオープン接続をリリースするための手段と、
前記リリースされた、選択された先在アイドルオープン接続に対応する通信リソースを前記新しい接続に割り当てるための手段と、
を備える、
ここにおいて、前記アクセスネットワークは、前記アクセス端末と無線で通信するように構成された符号分割多重アクセス（ＣＤＭＡ）ネットワークである、装置。
【請求項１５】
データ通信システムにおいてリソースを割り当てるための装置において、
アクセス端末とデータネットワークとの間のアクセスネットワークにおいて、複数の通信リソースを管理するためのリソースマネージャーと、
新たしい接続に通信リソースを割り当てるための要求を行なうリソースマネージャーと通信する複数の接続コントローラーと、
を備え、
前記リソースマネージャーは、
アクセス端末とデータの通信のためのデータネットワークとの間の新しい接続を開くための要求を検出し、
検出された要求に応答して、前記アクセス端末と前記データネットワークとの間のアクセスネットワークが過負荷条件を有しているかどうかを決定し、
前記アクセスネットワークが前記過負荷条件を有しているなら、前記アクセス端末と前記データネットワークとの間の前記アクセスネットワークにおいて、任意の先在のアイドルオープン接続があるかどうかを決定するように構成され、各アイドルオープン接続は割り当てられた通信リソースを有し、
ユーザーに対するサービス程度に基づいて前記先在アイドルオープン接続の１つを選択し、
前記選択された先在アイドルオープン接続をリリースし、
前記新しい接続に、前記リリースされた、選択された先在アイドルオープン接続に対応する通信リソースを割り当てる、
ための装置。
【請求項１６】
前記ユーザーに対するサービス程度に基づいて前記先在アイドルオープン接続の１つを選択することは、低いサービス程度を有する候補を優先して解放するために選択することである、請求項１５に記載の装置。
【請求項１７】
データ通信システムにおいてリソースを割り当てるための装置において、
アクセス端末とデータネットワークとの間のアクセスネットワークにおいて、複数の通信リソースを管理するためのリソースマネージャーと、
新たしい接続に通信リソースを割り当てるための要求を行なうリソースマネージャーと通信する複数の接続コントローラーと、
を備え、
前記リソースマネージャーは、
データ通信用の接続を開くためのユーザーの要求を検出し、
検出された要求に応答して、前記アクセス端末と前記データネットワークとの間のアクセスネットワークが過負荷条件を有しているかどうかを決定し、
前記アクセスネットワークが前記過負荷条件を有しているなら、前記ユーザーに割り当てられたサービス程度に基づいて２つ以上のオープン接続を選択し、
前記選択されたオープン接続の２つ以上がアイドルオープン状態であるかどうかを決定し、
前記アイドルオープン状態にある前記２つ以上の選択されたオープン接続から、最も長いアイドルオープン状態接続時間を有するアイドルオープン接続を選択し、
前記選択されたアイドルオープン接続をリリースし、
前記ユーザーに、前記リリースされた、選択されたアイドルオープン接続に対応する通信リソースを割り当てる、
ための装置。
【請求項１８】
前記ユーザーに対するサービス程度に基づいて前記先在アイドルオープン接続の１つを選択することは、低いサービス程度を有する候補を優先して解放するために選択することである、請求項１７に記載の装置。
【請求項１９】
データ通信システムにおいてリソースを割り当てるための装置において、
アクセス端末とデータネットワークとの間のアクセスネットワークにおいて、複数の通信リソースを管理するためのリソースマネージャーと、
新たしい接続に通信リソースを割り当てるための要求を行なうリソースマネージャーと通信する複数の接続コントローラーと、
を備え、
前記リソースマネージャーは、
データ通信用の接続を開くためのユーザーの要求を検出し、
検出された要求に応答して、前記アクセス端末と前記データネットワークとの間のアクセスネットワークが過負荷条件を有しているかどうかを決定し、
前記アクセスネットワークが前記過負荷条件を有しているなら、前記ユーザーに割り当てられたサービス程度に基づいて２つ以上のオープン接続を選択し、
前記選択されたオープン接続の２つ以上がアイドルオープン状態にあるかどうかを決定し、
前記アイドルオープン状態にある前記２つ以上の選択されたオープン接続から、所定の期間に所定のデータ量を転送するために使用されるアイドルオープン接続を選択し、
前記選択されたアイドルオープン接続をリリースし、
前記ユーザーに、前記リリースされた、選択されたアイドルオープン接続に対応する通信リソースを割り当てる、
を備えた方法。
【請求項２０】
前記ユーザーに割り当てられたサービス程度に基づいて前記２つ以上のオープン接続を選択することは、低いサービス程度を有する候補を優先して解放するために選択することである、請求項１９に記載の方法。
【請求項２１】
データ通信システムにおいてリソースを割り当てるための装置において、
アクセス端末とデータネットワークとの間のアクセスネットワークにおいて、複数の通信リソースを管理するためのリソースマネージャーと、
新たしい接続に通信リソースを割り当てるための要求を行なうリソースマネージャーと通信する複数の接続コントローラーと、
を備え、
前記リソースマネージャーは、
アクセス端末とデータの通信のためのデータネットワークとの間の新しい接続を開くための要求を検出し、
検出された要求に応答して、前記アクセス端末と前記データネットワークとの間のアクセスネットワークが過負荷条件を有しているかどうかを決定し、
前記アクセスネットワークが前記過負荷条件を有しているなら、前記アクセス端末と前記データネットワークとの間の前記アクセスネットワークにおいて、任意の先在のアイドルオープン接続があるかどうかを決定し、なお、各アイドルオープン接続は割り当てられた通信リソースを有する、
（ａ）オープン接続時間および（ｂ）先在のアイドルオープン接続の以前のデータトラヒックアクティビティの少なくとも１つに基づいて前記先在アイドルオープン接続の１つを選択し、
前記選択された先在アイドルオープン接続をリリースし、
前記リリースされた、選択された先在アイドルオープン接続に対応する通信リソースを前記新しい接続に割り当てる、
ここにおいて、前記アクセスネットワークは、前記アクセス端末と無線で通信するように構成された符号分割多重アクセス（ＣＤＭＡ）ネットワークである、
ための装置。
【手続補正２】
【補正対象書類名】明細書
【補正対象項目名】００４８
【補正方法】変更
【補正の内容】
【００４８】
ここに記載したアルゴリズムに従って解放のための接続を決定するために、チャネルリソースマネージャ１４０２は、接続時間（接続が開いた期間）、順方向に送信されたデータバイトの量、逆方向に送信されたデータバイトの量、およびアイドルタイム（順方向または逆方向にデータが無いとき）のような達成度の尺度を推定するようにしてもよい。これらは、チャネルリソース１４０５において、収集することができ、周期的にチャネルリソースマネージャ１４０２に更新することができる。さらに、またはあるいは、解放のための接続はユーザに対するサービス程度に基づいて選択するようにしてもよい。低いサービス程度を有する候補は高いサービス程度を有する候補に優先して解放のために選択するようにしてもよい。